(57)【要約】【課題】ケースの中にタオルを収納したケース入りタオルにおいて、装飾性やファッション性に優れたものを提供する。【解決手段】ケース入りタオルＡは、動物（具体的には、熊）の顔を表した絵柄部６２が設けられたタオル６０と、タオル６０を収納するケース部５とを有し、ケース部５には、絵柄部６２を外部から視認可能な開口部１２ａと、動物の手に対応する位置に形成された開口部１２ｂ、１２ｃと、動物の脚に対応する位置に形成された開口部１２ｄ、１２ｅと、衣類を表わす絵柄部１４とが設けられていて、開口部１２ａ〜１２ｅは、ケース部５の表面全体に形成された透明フィルム５０により被覆されている。【選択図】図２
0003142180.tif 000002
【実用新案登録請求の範囲】
【請求項１】
ケース入りタオルであって、
略正方形状のシート状を呈し、その一部に動物の顔を表わす絵柄である顔絵柄部が設けられたタオルと、
該タオルを畳んだ状態で収納する略直方体形状のケース部で、顔絵柄部を外部から視認可能とする第１開口部と、第１開口部の下側の表面に表示された衣類を表わす絵柄である衣類絵柄部と、衣類絵柄部の左右両側に形成され、動物の手又は腕の位置に対応する一対の第２開口部と、衣類絵柄部の下側に形成され、動物の脚の位置に対応する一対の第３開口部とが側面に形成され、外部から第２開口部と第３開口部を通してタオルの生地が視認可能なケース部と、
を有することを特徴とするケース入りタオル。
【請求項２】
上記ケース部の表面又は裏面には、第１開口部と第２開口部と第３開口部とを被覆する透明フィルムが設けられていることを特徴とする請求項１に記載のケース入りタオル。
【請求項３】
上記第１開口部が、顔絵柄部の輪郭に合わせた形状及び大きさに形成されていることを特徴とする請求項１又は２に記載のケース入りタオル。
【請求項４】
上記タオルの顔絵柄部が、動物の顔の輪郭を線状に表わす輪郭部と、該輪郭部内に形成された目部と、該輪郭部内に形成された鼻部とを有し、該輪郭部と目部と鼻部とが、タオルに糸を刺繍縫いすることにより形成されすることを特徴とする請求項１又は２又は３に記載のケース入りタオル。
【請求項５】
上記輪郭部が、略楕円形状の略楕円状部と、略楕円状部の上側に略楕円状部に接続して形成され、動物の耳を表わす一対の略半楕円状の突部とを有し、各突部における端部間には略楕円状部が形成されていないことを特徴とする請求項４に記載のケース入りタオル。
【請求項６】
上記タオルの顔絵柄部が、
タオルに糸を刺繍縫いすることにより形成され、動物の顔の輪郭を線状に表わす輪郭部で、略楕円形状の略楕円状部と、略楕円状部の上側に略楕円状部に接続して形成され、動物の耳を表わす一対の略半楕円状の突部とを有し、各突部における端部間には略楕円状部が形成されていない輪郭部と、
該突部の内側に、略三日月状に形成されていて、タオルに糸を刺繍縫いすることにより略三日月状の形状を埋めるように形成され、動物の耳穴を表わす耳穴部と、
該輪郭部内に、略円形に形成されていて、タオルに糸を刺繍縫いすることにより略円形の形状を埋めるように形成され、動物の目を表わす目部と、
輪郭部内の目部の下側に、略円形に形成され、タオルに糸を刺繍縫いすることにより鼻部の領域を除き略円形の形状を埋めるように形成された顔中央部と、
該顔中央部内に形成され、タオルに糸を刺繍縫いすることにより形成され、動物の鼻を表わす鼻部と、
を有することを特徴とする請求項１又は２又は３に記載のケース入りタオル。
【請求項７】
顔絵柄部が、タオルにおける略正方形状の角部に近い位置に設けられていて、相対する角部を結んだ仮想線上に該仮想線を介して略線対象となる位置に形成されていることを特徴とする請求項１又は２又は３又は４又は５又は６に記載のケース入りタオル。
【考案の詳細な説明】
【技術分野】
【０００１】
本考案は、ケースに入れたタオルに関するものである。
【背景技術】
【０００２】
従来より、タオルを箱に入れて展示・販売する方法としては、タオルを箱に折り畳んで収納し、タオルを収納した箱の蓋については、中のタオルが視認できるように外しておくのが一般的である。
【０００３】
また、特許文献１のギフト用品に示すように、箱２に窓６を設け、内容物としてのタオルが見えるようにしたものが存在する。
【０００４】
また、出願人は、特許文献２に記載の考案を知得している。
【特許文献１】登録実用新案第３０６８７７７号公報
【特許文献２】登録実用新案第３０３１６６８号公報
【考案の開示】
【考案が解決しようとする課題】
【０００５】
しかし、特許文献１に記載のギフト用品においては、箱の中のタオルの一部が見えるのみであり、装飾性やファッション性に欠けるという欠点がある。
【０００６】
そこで、本考案が解決しようとする問題点は、ケースの中にタオルを収納したケース入りタオルにおいて、装飾性やファッション性に優れたものを提供することである。
【課題を解決するための手段】
【０００７】
本考案は上記問題点を解決するために創作されたものであって、第１には、ケース入りタオルであって、略正方形状のシート状を呈し、その一部に動物の顔を表わす絵柄である顔絵柄部が設けられたタオルと、該タオルを畳んだ状態で収納する略直方体形状のケース部で、顔絵柄部を外部から視認可能とする第１開口部と、第１開口部の下側の表面に表示された衣類を表わす絵柄である衣類絵柄部と、衣類絵柄部の左右両側に形成され、動物の手又は腕の位置に対応する一対の第２開口部と、衣類絵柄部の下側に形成され、動物の脚の位置に対応する一対の第３開口部とが側面に形成され、外部から第２開口部と第３開口部を通してタオルの生地が視認可能なケース部と、を有することを特徴とする。
【０００８】
この第１の構成のケース入りタオルにおいては、第１開口部を通して外部から顔絵柄部を視認でき、また、第２開口部と第３開口部を通して外部からタオルを視認することができるので、第１開口部から動物の顔が表われ、第２開口部から動物の腕が表れ、第３開口部から動物の脚が表れるので、ケース入りタオルを正面側から視認すると、衣類を着た動物が直立した姿を視認でき、装飾性やファッション性に優れた態様とすることができる。特に、少なくとも第２開口部や第３開口部からはタオルの生地が視認できるので、縫いぐるみのような態様を示すことができ、その点でも装飾性やファッション性に優れている。
【０００９】
また、第２には、上記第１の構成において、上記ケース部の表面又は裏面には、第１開口部と第２開口部と第３開口部とを被覆する透明フィルムが設けられていることを特徴とする。よって、収納されたタオルが汚れることがない。
【００１０】
また、第３には、上記第１又は第２の構成において、上記第１開口部が、顔絵柄部の輪郭に合わせた形状及び大きさに形成されていることを特徴とする。
【００１１】
また、第４には、上記第１から第３までのいずれかの構成において、上記タオルの顔絵柄部が、動物の顔の輪郭を線状に表わす輪郭部と、該輪郭部内に形成された目部と、該輪郭部内に形成された鼻部とを有し、該輪郭部と目部と鼻部とが、タオルに糸を刺繍縫いすることにより形成されすることを特徴とする。よって、輪郭部内の目部や鼻部以外の領域にもタオルの生地を表わすことができるので、より縫いぐるみに近い態様にでき、装飾性やファッション性に優れたものとすることができる。
【００１２】
また、第５には、上記第４の構成において、上記輪郭部が、略楕円形状の略楕円状部と、略楕円状部の上側に略楕円状部に接続して形成され、動物の耳を表わす一対の略半楕円状の突部とを有し、各突部における端部間には略楕円状部が形成されていないことを特徴とする。これにより、熊の顔の形状を表現することができる。
【００１３】
なお、上記第５の構成において、上記突部の内側には、略三日月状に形成されていて、タオルに糸を刺繍縫いすることにより略三日月状の形状を埋めるように形成され、動物の耳穴を表わす耳穴部が設けられているものとするのが好ましい。よって、熊の顔の形状を表現することができる。
【００１４】
また、上記第５の構成において、輪郭部内の目部の下側には、略円形に形成され、タオルに糸を刺繍縫いすることにより鼻部の領域を除き略円形の形状を埋めるように形成された顔中央部が形成され、顔中央部内に鼻部が形成されているようにするのが好ましい。よって、熊の顔の形状を表現することができる。
【００１５】
また、第６には、上記第１から第３までのいずれかの構成において、上記タオルの顔絵柄部が、タオルに糸を刺繍縫いすることにより形成され、動物の顔の輪郭を線状に表わす輪郭部で、略楕円形状の略楕円状部と、略楕円状部の上側に略楕円状部に接続して形成され、動物の耳を表わす一対の略半楕円状の突部とを有し、各突部における端部間には略楕円状部が形成されていない輪郭部と、該突部の内側に、略三日月状に形成されていて、タオルに糸を刺繍縫いすることにより略三日月状の形状を埋めるように形成され、動物の耳穴を表わす耳穴部と、該輪郭部内に、略円形に形成されていて、タオルに糸を刺繍縫いすることにより略円形の形状を埋めるように形成され、動物の目を表わす目部と、輪郭部内の目部の下側に、略円形に形成され、タオルに糸を刺繍縫いすることにより鼻部の領域を除き略円形の形状を埋めるように形成された顔中央部と、該顔中央部内に形成され、タオルに糸を刺繍縫いすることにより形成され、動物の鼻を表わす鼻部と、を有することを特徴とする。
【００１６】
この第６の構成においては、輪郭部内の目部や耳穴部や顔中央部以外の領域にもタオルの生地を表わすことができるので、より縫いぐるみに近い態様にでき、装飾性やファッション性に優れたものとすることができる。また、輪郭部が略楕円状部と突部とから構成されており、耳穴部や顔中央部が設けられているので、熊の顔の形状を表現することができる。
【００１７】
また、第７には、上記第１から第６までのいずれかの構成において、顔絵柄部が、タオルにおける略正方形状の角部に近い位置に設けられていて、相対する角部を結んだ仮想線上に該仮想線を介して略線対象となる位置に形成されていることを特徴とする。よって、顔絵柄部のある側を上側にして、上側の角部と下側の角部とを裏側に折り返しておき、その後、下側の半分を裏側に折り返し、両側を裏側に巻回することにより、タオルを畳むことができる。
【考案の効果】
【００１８】
本考案に基づくケース入りタオルによれば、第１開口部を通して外部から顔絵柄部を視認でき、また、第２開口部と第３開口部を通して外部からタオルを視認することができるので、第１開口部から動物の顔が表われ、第２開口部から動物の腕が表れ、第３開口部から動物の脚が表れるので、ケース入りタオルを正面側から視認すると、衣類を着た動物が直立した姿を視認でき、装飾性やファッション性に優れた態様とすることができる。特に、少なくとも第２開口部や第３開口部からはタオルの生地が視認できるので、縫いぐるみのような態様を示すことができ、その点でも装飾性やファッション性に優れている。
【考案を実施するための最良の形態】
【００１９】
本考案においては、ケースの中にタオルを収納したケース入りタオルにおいて、装飾性やファッション性に優れたものを提供するという目的を以下のようにして実現した。
【００２０】
本考案に基づくケース入りタオルＡは、図１、図２に示すように構成され、ケース部５と、袋部５０と、タオル６０とを有していて、タオル６０が袋部５０に収納され、袋部５０に収納されたタオル６０がケース部５内に収納されている。
【００２１】
ここで、ケース部５は、略直方体形状を呈し、１枚のシート状のブランクにより構成されていて、１枚のシート状のブランクを所定の形状に形成し、組み立てることにより形成されている。すなわち、ケース部５は、図４に示すように、板状で長方形状の外形を有する正面部１０と、正面部１０の右辺から折れ線を介して連設され、板状で長方形状の右側面部２０と、正面部１０の左辺から折れ線を介して連設され、板状で長方形状の左側面部２２と、左側面部２２の背面側の辺から折れ線を介して連設され、板状で長方形状の背面部２４と、背面部２４の右辺から折れ線を介して連設され、略台形形状の糊代部２６と、正面部１０の上辺から折れ線を介して連設され、板状で方形状の上面部３０と、上面部３０の先端から折れ線を介して連設され、板状で略長方形状の差込み片部３２と、背面部２４の下辺から折れ線を介して連設され、板状で方形状の下面部４０と、下面部４０の先端から折れ線を介して連設され、板状で略長方形状の差込み片部４２と、右側面部２０の上辺から折れ線を介して連設され、板状で略長方形状のフラップ部２０ａと、右側面部２０の下辺から折れ線を介して連設され、板状で略長方形状のフラップ部２０ｂと、左側面部２２の上辺から折れ線を介して連設され、板状で略長方形状のフラップ部２２ａと、左側面部２２の下辺から折れ線を介して連設され、板状で略長方形状のフラップ部２２ｂとを有している。
【００２２】
ケース部５を組み立てた状態では、正面部１０と右側面部２０と左側面部２２と背面部２４とでスリーブ状を呈し、正面部１０と背面部２４とは互いに平行となり、右側面部２０と左側面部２２とは互いに平行となり、上面部３０と下面部４０とは互いに平行となる。また、上面部３０は、差込み片部３２をスリーブ状の上部開口の内側に差し込むことにより該上部開口を閉じるが、その際、フラップ部２０ａ、２２ａは、上面部３０の下側に位置する。また、下面部４０は、差込み片部４２をスリーブ状の下部開口の内側に差し込むことにより該下部開口を閉じるが、その際、フラップ部２０ｂ、２２ｂは、下面部４０の上側に位置する。なお、正面部１０と右側面部２０と左側面部２２と背面部２４のそれぞれは、ケース部５の側面を形成している。
【００２３】
ケース部５は、１枚のシート状のブランクにより構成されているが、図３に示すように、紙製のブランク４５と、該紙製のブランク４５の外側の面に（絵柄部１４（後述）が設けられている側の面）被覆して設けられた透明フィルム５０とが積層したブランクにより形成され、紙製のブランク４５と透明フィルム５０はともに図４に示す展開形状を有し略同大同形状であるが、紙製のブランク４５には、後述する開口部１２ａ、１２ｂ、１２ｃ、１２ｄ、１２ｅが形成されているのに対して、透明フィルム５０は、開口部１２ａ、１２ｂ、１２ｃ、１２ｄ、１２ｅの領域にも形成されていて、透明フィルム５０がこれらの開口部１２ａ〜１２ｅを被覆するように形成されている。つまり、ケース部５の外側の面には開口部１２ａ〜１２ｅを被覆する透明フィルム５０が形成されている。
【００２４】
ここで、正面部１０における紙製ブランク４５は、複数の開口部１２ａ、１２ｂ、１２ｃ、１２ｄ、１２ｅと、絵柄部１４（衣類絵柄部）とを有している。
【００２５】
該複数の開口部１２ａ〜１２ｅは、動物（図の例では熊）の身体の各部に対応している。
【００２６】
開口部１２ａ（第１開口部）は、略楕円形状部１２ａ−１の上側に一対の略半楕円形状の突部１２ａ−２を設けた形状であり、頭部の形を表している。突部１２ａ−２は動物の耳の形状に当たる。開口部１２ａは、絵柄部６２の形状及び大きさに合わせて形成され、外部から開口部１２ａを通して絵柄部６２の全体（又は大部分）を視認でき、絵柄部６２の周囲の生地は視認できないようになっている。
【００２７】
また、開口部１２ｂは、略楕円形状を呈し、動物の右手の部分の形を表している。また、開口部１２ｃは、略楕円形状を呈し、動物の左手の部分の形を表している。開口部１２ｂ、１２ｃは、上記第２開口部に対応している。
【００２８】
また、開口部１２ｄは、略逆Ｌ字状を呈し、動物の右脚の部分の形を表している。また、開口部１２ｅは、略Ｌ字状を呈し、動物の左脚の部分の形を表している。開口部１２ｄ、１２ｅは、上記第３開口部に対応している。
【００２９】
また、絵柄部１４は、衣類の絵柄であり、動物の胴部と腕部に対応する部分に描かれている。図の例では、絵柄部１４は、長袖のワイシャツにネクタイを締めてベストを着た絵柄であるが、他の絵柄でもよく、例えば、長袖のトレーナーの絵柄でもよい。
【００３０】
このケース部５の製造工程としては、まず、大判の紙に開口部１２ａ〜１２ｅを形成するとともに絵柄部６２を印刷し、その後、大判の紙の表面に大判の透明フィルムを貼り付ける。この透明フィルムは、少なくともケース部５の展開状態の大きさを有している。そして大判のフィルムを貼り付けた大判の紙の外形をトムソン等によりくり抜くことにより、ケース部５を構成するブランクが形成される。その後は、糊代部２６を右側面部２０に接着する等してケース部５を組み立てる。
【００３１】
また、タオル６０は、図５に示すように略正方形状を呈し、シート状を呈している。このタオル６０は、タオル本体６１と、タオル本体６１の表面の一部に形成された絵柄部６２（顔絵柄部）とを有している。
【００３２】
このタオル本体６１は、略正方形状の生地（タオル地）により形成されている。
【００３３】
また、絵柄部６２は、動物（具体的には、熊）の顔の形状に形成され、糸を刺繍縫いすることにより形成されていて、図６に示すように、輪郭部６４と、耳穴部６６ａ、６６ｂと、顔中央部６８と、鼻部７０と、目部７２ａ、７２ｂとを有している。刺繍縫いの方法としては、ステッチ縫い、フリ縫い、タタミ縫い等が挙げられる。
【００３４】
ここで、輪郭部６４は、所定の太さの線状部により形成され、動物の頭部の輪郭が形成されている。具体的には、輪郭部６４は、略楕円状部６４ａの上側に一対の略半楕円状の突部６４ｂ、６４ｃが形成されていて、突部６４ｂ、６４ｃが形成された部分には、略楕円形状部６４ａは形成されていない。これにより、輪郭部６４は、熊の顔の輪郭を表現している。この輪郭部６４は、刺繍縫いにより輪郭部を形成する線の幅を埋めるようにして形成されている。なお、略楕円状部６４ａの形状は略円形状でもよく、突部６４ｂ、６４ｃの形状は略半円形状でもよい。
【００３５】
また、耳穴部６６ａは、突部６４ｂの内側に略三日月状に形成され、動物の耳穴を表すものである。また、耳穴部６６ｂは、突部６４ｃの内側に略三日月状に形成され、動物の耳穴を表すものである。この耳穴部６６ａ、６６ｂも刺繍縫いにより形成され、耳穴部６６ａ、６６ｂの輪郭を埋めるように形成されている。
【００３６】
また、顔中央部６８は、輪郭部６４内の中央下側に略円形（又は円形）に形成されている。この顔中央部６８も刺繍縫いにより形成されているが、厳密には、鼻部７０の領域には刺繍縫いはされていない。つまり、鼻部７０の領域を除く領域を埋めるように刺繍縫いされている。
【００３７】
また、鼻部７０は、顔中央部６８の中央に形成され、略円形の円形部７０ａと、円形部７０ａの下側から伸びた略「人」状の線状部７０ｂとを有している。この鼻部７０も刺繍縫いにより形成され、鼻部７０の輪郭を埋めるように形成されている。
【００３８】
また、目部７２ａ、７２ｂは、ともに略円形に形成され、顔中央部６８よりも上側の略左右対称位置に形成されている。この目部７２ａ、７２ｂも刺繍縫いにより形成され、その輪郭を埋めるように形成されている。
【００３９】
ここで、輪郭部６４と、耳穴部６６ａ、６６ｂと、顔中央部６８とは、同じ色の糸（第１の色の糸）により形成され、鼻部７０と目部７２ａ、７２ｂとは、同じ色で、第１の色とは異なる色（例えば、黒色）の糸（第２の色の糸）により形成されている。該第１の色と第２の色とは、タオル６０の生地の色と異なる色とするのが好ましい。なお、輪郭部６４と耳穴部６６ａ、６６ｂとを第１の色とし、顔中央部６８を第１の色及び第２の色と異なる第３の色の糸により形成してもよい。また、耳穴部６６ａ、６６ｂと顔中央部６８とを第１の色とし、輪郭部６４を第１の色及び第２の色と異なる第３の色の糸により形成してもよい。
【００４０】
なお、輪郭部６４の内側における耳穴部６６ａ、６６ｂと顔中央部６８と鼻部７０と目部７２ａ、７２ｂ以外の領域は、タオル本体６１の生地が表われている。
【００４１】
また、絵柄部６２の大きさは、開口部１２ａの大きさと略同一（又は同一）となっている。つまり、輪郭部６４の外側の輪郭は、開口部１２ａの大きさと略同一（又は同一）となっている。
【００４２】
また、絵柄部６２は、略正方形状の角部に近い位置に設けられていて、相対する角部を結んだ仮想線上に該仮想線を介して略線対象（又は線対称）となる位置に形成されている。また、絵柄部６２の形成位置は、以下で説明するようにタオル６０を折り畳んでケース部５内に入れた際に、絵柄部６２の位置と開口部１２ａの位置が一致するような位置とする。
【００４３】
また、タオル６０は、畳んだ状態でケース部５内に収納されている。つまり、タオル６０は、角部を折り曲げて巻回した状態でケース部５内に収納されている。
【００４４】
上記構成のケース入りタオルＡの組立て方法について説明すると、まず、タオル６０を畳んだ状態とする。その方法は、図７に示す通りであり、絵柄部６２が上側となるように一対の角部を上下方向にし、他の一対の角部が左右方向になるように配置し（図７（ａ））、その後、タオル６０の上端の角部領域と下端の角部領域とを裏側に折り曲げる（図７（ｂ））。上端の角部領域を折り曲げる際には、絵柄部６２が表面に露出するようにする。その後、左右方向の角部を結ぶ折れ線を介して、該折れ線の下側領域を上側領域の裏側に折り返す（図７（ｃ））。つまり、この状態では、タオル６０は略台形形状を呈している。その後、絵柄部６２の位置を中心に左右の両側を裏側に巻回していき、畳んだ状態（丸めた状態としてもよい）とする（図７（ｄ））。つまり、絵柄部６２が内側に隠れず外側に露出するように巻いていく。以上のようにして、畳んだ状態のタオル６０が形成される。
【００４５】
次に、上記のように畳んだ状態のタオル６０をケース部５に収納するには、ケース部５の上面部３０又は下面部４０を開状態にして収納する。その際、タオル６０の絵柄部６２の側がケース部５の正面部１０の側になるようにする。
【００４６】
なお、タオル６０をケース部５内に収納した状態では、ケース部５の外側から絵柄部６２の全体を開口部１２ａを介して視認することができるようにするとともに、他の開口部１２ｂ〜１２ｅからタオル本体６１を視認することができるようにする。以上のようにして、ケース入りタオルＡが組み立てられる。
【００４７】
ケース入りタオルＡにおいては、開口部１２ａを通して外部から絵柄部６２を視認でき、また、他の開口部１２ｂ〜１２ｅを通して外部からタオル本体６１を視認することができるので、開口部１２ａから動物の顔が表われ、開口部１２ｂ、１２ｃから動物の腕が表れ、開口部１２ｄ、１２ｅから動物の脚が表れるので、ケース入りタオルＡを正面側から視認すると、衣類を着た動物が直立した姿を視認できる。
【００４８】
以上のように、ケース部５に形成された開口部１２ａ〜１２ｅ及び絵柄部１４と、タオル６０に設けられた絵柄部６２とタオルの生地により動物を表わすことができるので、装飾性やファッション性に優れた態様とすることができる。
【００４９】
特に、輪郭部６４の内側における耳穴部６６ａ、６６ｂと顔中央部６８と鼻部７０と目部７２ａ、７２ｂ以外の領域は、タオル本体６１の生地が表われていて、また、開口部１２ｂ〜１２ｅからもタオル本体６１の生地が表われているので、縫いぐるみのような態様を示すことができ、その点でも装飾性やファッション性に優れている。
【００５０】
以上のように、本実施例のケース入りタオルＡによれば、単にケース部５に開口部を設けて、収納されたタオルの一部が見えるようにするのではなく、ケース部５に形成された開口部１２ａ〜１２ｅ及び絵柄部１４と、タオル６０に設けられた絵柄部６２とタオルの生地により動物を表わすとともに、縫いぐるみのような態様を表わすことができ、装飾性やファッション性に極めて優れている。
【００５１】
また、透明フィルム５０が開口部１２ａ〜１２ｅを被覆しているので、収納されたタオル６０が汚れることがない。
【００５２】
なお、収納されたタオル６０を使用する際には、ケース部５の上面部３０又は下面部４０を開けてタオル６０を取り出して使用する。
【００５３】
なお、上記の説明では、ケース部５の外側の面に透明フィルム５０が設けられているとして説明したが、ケース部５の内側の面に開口部１２ａ〜１２ｅを被覆する透明フィルムを設けるようにしてもよい。
【００５４】
また、ケース部５の表面には開口部１２ａ〜１２ｅを被覆する透明フィルム５０が形成されているとして説明したが、ケース部５を紙製のブランク４５のみにより構成し、透明フィルムを省略した構成としてもよい。
【００５５】
また、上記の説明では、開口部１２ｂ、１２ｃは、動物の手の部分の形を表わすものとして説明したが、開口部を手のみならず腕の領域にまで伸ばして絵柄部１４が表わす衣類を半袖又はノースリーブの態様としてもよい。例えば、開口部１２ｂ、１２ｃを手のみならず腕の下腕部（腕における上腕部を除く部分）にまで伸ばして、絵柄部１４が表わす衣類を半袖の態様とする。
【図面の簡単な説明】
【００５６】
【図１】本考案の実施例に基づくケース入りタオルを示す斜視図である。
【図２】本考案の実施例に基づくケース入りタオルを示す分解斜視図である。
【図３】図２におけるケース部のＰ−Ｐ断面図である。
【図４】ケース部の展開図である。
【図５】タオルの平面図である。
【図６】タオルにおける絵柄部の拡大図である。
【図７】タオルを丸めた状態にする工程を示す説明図である。
【符号の説明】
【００５７】
Ａ  ケース入りタオル
５  ケース部
１０  正面部
１２ａ、１２ｂ、１２ｃ、１２ｄ、１２ｅ  開口部
１４、６２  絵柄部
４５  紙製のブランク
５０  透明フィルム
６４  輪郭部
６６ａ、６６ｂ  耳穴部
６８  顔中央部
７０  鼻部
７２ａ、７２ｂ  目部
【図１】
0003142180.tif 000003
【図２】
0003142180.tif 000004
【図３】
0003142180.tif 000005
【図４】
0003142180.tif 000006
【図５】
0003142180.tif 000007
【図６】
0003142180.tif 000008
【図７】
0003142180.tif 000009